(57)【要約】【課題】本開示は、少ない構成部品で製造原価を低減できる透過度検知装置を提供する。【解決手段】本開示における透過度検知装置は、発光素子１ａおよび受光素子１ｂがそれぞれ有する発光端子５ａおよび受光端子５ｂは、Ｌ字状に形成されて、発光ケース３ａおよび受光ケース３ｂに形成したツメ部１４ａ、１４ｂに係止して固定されるとともに、誘導ノイズから保護するための保護素子７ａ、７ｂおよび外部と接続するリード線６ａ、６ｂをはんだ付けにて接続した後、発光ケース３ａおよび受光ケース３ｂのはんだ付け面側を封止材４ａ、４ｂで充填し封止する構成としたことにより、信頼性を損なうことなく、構成部品を減らして、組立工数を低減し、製造原価の低減を実現することができる。【選択図】図１
2020101420.tif 000002
【特許請求の範囲】
【請求項１】
液体が通過する配管に取り付けられ、前記配管の内部の液体を検知する透過度検知装置であって、ケースと、前記ケースに内包される発光素子と、前記ケースに内包され、前記発光素子に対向して設けられ、前記発光素子から発せられた光を受光する受光素子と、を備え、前記発光素子及び前記受光素子は、それぞれＬ字に形成された発光端子及び受光端子を有し、前記端子は、前記ケースに形成されたツメ部により固定される、透過度検知装置。
【請求項２】
前記透過度検知装置は、前記発光素子及び前記受光素子ははんだ付けにより固定され、封止材により充填されている、透過度検知装置。
【発明の詳細な説明】
【技術分野】
【０００１】
本開示は、洗濯機や食器洗浄機の洗浄液の透過度を検知する透過度検知装置に関する。
【背景技術】
【０００２】
従来、この種の検知装置では、洗濯機の洗濯液の透過度を検知するために、排水管近傍に透過度検知装置を備え付ける構成が開示されている（例えば、特許文献１参照）。
【０００３】
図３は、特許文献１に記載された従来の透過度検知装置の断面図で、全自動洗濯機に備えられた例を示すものである。
【０００４】
図３において、洗濯液が通る排水管４０を挟んで発光素子３１ａと受光素子３１ｂが対向して配置されている。発光素子３１ａと受光素子３１ｂは、それぞれプリント配線板３２ａ、３２ｂに電気的、機械的に接続されている。素子の発光部、受光部は、同一光軸上で相対距離を確保してケース３３ａ、３３ｂに設けられた凹部に嵌合して位置を規制される。プリント配線板３２ａ、３２ｂはケース３３ａ、３３ｂに装着されて、防湿のためエポキシなどの封止材３４ａ、３４ｂにて封止されている。
【０００５】
検知した信号等は、リード線３６ａ、３６ｂで制御装置（図示せず）と電気的に接続され、入力される。プリント配線板３２ａ、３２ｂ上の部品３７ａ、３７ｂは、リード線３６ａ、３６ｂから侵入する誘導ノイズから、発光素子３１ａと受光素子３１ｂを保護するためのダイオードなどの保護素子である。ケース３３ａ、３３ｂは、ねじ３８ａ、３８ｂでカバー３９に固定されている。
【０００６】
以上のように構成された透過度検知装置は、洗い時またはすすぎ時に排水管４０の内部は洗濯液で満たされている。この状態で、発光素子３１ａを所定の照度で発光すると、その時に受光素子３１ｂに発生する電圧が如何ほどかで洗濯液の透過度を検知する。発光素子３１ａの照度設定や受光素子３１ｂに発生する電圧の処理は、制御装置（図示せず）側で行う。すなわち、洗濯液の透過度を検知することで、透過度に応じて、つまり洗濯液の汚れ度合いに応じて、洗濯時間やすすぎ時間を自動的に調整するなどの制御を行う。
【先行技術文献】
【特許文献】
【０００７】
【特許文献１】特開平３−１６８１８８号公報
【発明の概要】
【発明が解決しようとする課題】
【０００８】
しかしながら、前記従来の構成では、その製造過程において、発光素子３１ａをケース３３ａに、受光素子３１ｂをケース３３ｂに挿入し、保護素子３７ａ、３７ｂとリード線３６ａ、３６ｂを、それぞれプリント配線板３２ａ、３２ｂに実装し、プリント配線板３２ａ、３２ｂをケース３３ａ、３３ｂにねじ３８ａ、３８ｂで固定する必要がある。そのために、この構成では構成部品が多く、組立工数が増え、製造原価が高くなるという課題があった。
【０００９】
本開示は、構成部品を少なくできるとともに、組立の際の工数を減らすことができる透過度検知装置を提供する。
【課題を解決するための手段】
【００１０】
本開示における透過度検知装置は、配管に取り付けられ、前記配管の内部の液体を検知する透過度検知装置であって、ケースと、前記ケースに内包される発光素子と、前記ケースに内包され、前記発光素子に対向して設けられ、前記発光素子から発せられた光を受光する受光素子と、を備える。前記発光素子及び前記受光素子は、それぞれＬ字に形成された発光端子及び受光端子を有し、前記端子は、前記ケースに形成されたツメ部により固定される。
【発明の効果】
【００１１】
本開示における透過度検知装置は、構成部品を少なくできるとともに、組立の際の工数を減らすことができる。
【図面の簡単な説明】
【００１２】
【図１】本発明の実施の形態１における透過度検知装置の断面図
【図２】（ａ）同透過度検知装置の受光部の平面図、（ｂ）同受光部の断面図
【図３】従来の透過度検知装置の断面図
【発明を実施するための形態】
【００１３】
以下、図面を参照しながら、実施の形態を詳細に説明する。
【００１４】
（実施の形態１）
図１は、本発明の実施の形態１における透過度検知装置の断面図、図２（ａ）は、同透過度検知装置の受光部拡大平面図、（ｂ）は、同受光部の拡大断面図である。なお、発光側においては受光側と対向した同一構成であり、図２の受光側と対向する発光側の部位については、括弧内に受光側部位と対向する発光側部位の符号を記載している。
【００１５】
図１、図２において、透過度検知装置２０は、赤外線等の光を発光する発光素子１ａと、発光素子１ａから受けた光の強さに基づく光信号を受光する受光素子１ｂを備えており、検知液体、例えば、機器が洗濯機であれば洗濯液が通る排水管１０の平面部１５を挟んで対向して配置されている。
【００１６】
ケースである発光ケース３ａ、受光ケース３ｂは、発光素子１ａ、受光素子１ｂをそれぞれ内蔵している。発光ケース３ａ、受光ケース３ｂは、ケース固定ねじ１１ａ、ケース固定ねじ１１ｂでカバー９に固定されている。さらに、カバー９は、洗濯液が通る排水管１０の外側に対向して形成した平面部１５に挿着され、カバー固定ねじ１２で、排水管１０に固定されている。
【００１７】
受光素子１ｂ、発光素子１ａは、それぞれ受光端子５ｂ、発光端子５ａを有しており、その受光端子５ｂ、発光端子５ａをＬ字状に曲げて形成することで高さ精度（図２（ｂ）にて左右方向の寸法精度）を出している。
【００１８】
また、受光素子１ｂ、発光素子１ａは、それぞれ、受光ケース３ｂに設けられた凹部１３ｂ、発光ケース３ａに設けられた凹部１３ａに挿着され、がたつき無きよう位置が規制されている。
【００１９】
また、受光ケース３ｂ、発光ケース３ａは、それぞれ受光端子５ｂ、発光端子５ａを固定するツメ部１４ｂ、１４ａを形成しており、受光素子１ｂ、発光素子１ａを、それぞれ受光ケース３ｂの凹部１３ｂ、発光ケース３ａの凹部１３ａに挿着する時に、受光端子５ｂ、発光端子５ａはこのツメ部１４ｂ、１４ａに係止して固定する。
【００２０】
また、配線上で、ツメ部１４ｂを挟んで受光素子１ｂの反対側に保護素子７ｂを設け、
同様に、ツメ部１４ａを挟んで発光素子１ａの反対側に保護素子７ａを設けて、この保護素子７ｂ、７ａと受光素子１ｂ、発光素子１ａを、それぞれ、はんだ付けし、この保護素子７ｂ、７ａとリード線６ｂ、６ａを、それぞれ、はんだ付けして接続している。なお、保護素子７ｂ、７ａは、リード線６ｂから侵入する誘導ノイズから、受光素子１ｂ、発光素子１ａを保護するためのダイオードなどの電子部品である。
【００２１】
そして、以上の構成にて封止材４ｂ、４ａを充填することにより、部品取り付け強度の保持と防湿性を高めている。
【００２２】
以上のように、本実施の形態１における透過度検知装置は、液体が通過する排水管１０に取り付けられ、排水管１０の内部の排水を検知する透過度検知装置であって、発光ケース３ａに内包される発光素子１ａと、受光ケース３ｂに内包され、発光素子１ａに対向して設けられ、発光素子１ａから発せられた光を受光する受光素子１ｂと、を備え、発光素子１ａ及び受光素子１ｂは、それぞれＬ字に形成された発光端子５ａ及び受光端子５ｂを有し、発光端子５ａ及び受光端子５ｂは、発光ケース３ａ及び受光ケース３ｂに形成されたツメ部１４ａ及びツメ部１４ｂにより固定される。
【００２３】
これにより、各素子やリード線を設けるためのプリント配線板を設けることなく、各素子やリード線をケースに直接設けることができる。そのため、構成部品を少なくできるとともに、組立の際の工数を減らすことができる。
【００２４】
また、本実施の形態１のように、透過度検知装置は、発光端子５ａ及び受光端子５ｂははんだ付けにより固定され、封止材４ａ及び封止材４ｂにより充填されているようにしてもよい。
【００２５】
これにより、部品の取付強度を保持するとともに防湿性を向上させることができる。
【００２６】
なお、本実施の形態１では、配管の一例として排水管１０を説明した。配管は液体が通過する管であればよいので、排水管でなくてもよい。
【産業上の利用可能性】
【００２７】
本開示は、透過度検知装置を搭載する機器に適用可能である。具体的には、洗濯機、食器洗浄機等に適用可能である。
【符号の説明】
【００２８】
１ａ  発光素子
１ｂ  受光素子
３ａ  発光ケース（ケース）
３ｂ  受光ケース（ケース）
４ａ、４ｂ  封止材
５ａ  発光端子
５ｂ  受光端子
６ａ、６ｂ  リード線
７ａ、７ｂ  保護素子
９  カバー
１０  排水管（配管）
１１ａ、１１ｂ  ケース固定ねじ
１３ａ、１３ｂ  凹部
１４ａ、１４ｂ  ツメ部
【図１】
2020101420.tif 000003
【図２】
2020101420.tif 000004
【図３】
2020101420.tif 000005